【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
開口画素領域及び遮光画素領域を有する撮像素子と、
前記撮像素子から画素データを読み出す読み出し手段と、
前記読み出し手段によって前記撮像素子の遮光画素領域から読み出される画素データから、前記画素データの各列に対応した一次元ダークシェーディング補正データを算出する算出手段と、
前記読み出し手段によって前記撮像素子の開口画素領域から画素データを読み出している時に、前記算出手段により算出される一次元ダークシェーディング補正データを用いて前記撮像素子の一次元ダークシェーディングを補正する補正手段とを有し、
前記読み出し手段は、前記開口画素領域から画素データを読み出す前に前記遮光画素領域から画素データを読み出し、
前記算出手段は、前記読み出し手段が前記遮光画素領域から画素データを読み出す時に前記一次元ダークシェーディング補正データを算出し、
前記補正手段は、前記算出手段によって算出される一次元ダークシェーディング補正データを用いて前記撮像素子の一次元ダークシェーディングを補正することを特徴とする画像データ補正装置。
【請求項２】
前記算出手段は、前記一次元ダークシェーディング補正データを少なくとも１列からなる複数ブロックに分割して前記ブロック毎に一次元ダークシェーディング補正データを算出し、
前記補正手段は、前記画素データの各列に、前記算出手段によって算出されるブロックと対応するブロック毎の一次元ダークシェーディング補正データを用いて補正を行うことを特徴とする請求項１に記載の画像データ補正装置。
【請求項３】
前記算出手段は、前記一次元ダークシェーディング補正データを少なくとも１列からなる複数ブロックに分割し、各列に対応した一次元ダークシェーディング補正データを、前記各ブロックごとの平均値を用いて近似的に算出し、
前記補正手段は、前記画素データの各列に、前記算出手段によって算出されるブロックと対応する近似の一次元ダークシェーディング補正データを用いて補正を行うことを特徴とする請求項１に記載の画像データ補正装置。
【請求項４】
前記算出手段によって算出される一次元ダークシェーディング補正データを、少なくとも１列からなる複数ブロックに分割する設定を行う分割設定手段を有し、
前記算出手段は、前記分割設定手段の設定に応じて、前記一次元ダークシェーディング補正データを少なくとも１列からなる複数ブロックに分割することを特徴とする請求項３に記載の画像データ補正装置。
【請求項５】
前記分割設定手段によって設定される複数の設定から一つの設定を選択する選択手段を有し、
前記算出手段は、前記選択手段によって選択された設定に応じて、前記一次元ダークシェーディング補正データを少なくとも１列からなる複数ブロックに分割することを特徴とする請求項４に記載の画像データ補正装置。
【請求項６】
前記選択手段は、前記撮像素子の撮影条件、または撮影環境に応じて一つの設定を選択することを特徴とする請求項５に記載の画像データ補正装置。
【請求項７】
前記撮像素子の撮影条件は、撮像素子及び画像データ形成時のゲイン設定であることを特徴とする請求項６に記載の画像データ補正装置。
【請求項８】
前記撮像素子の撮影条件は、露光時間設定であることを特徴とする請求項６または７に記載の画像データ補正装置。
【請求項９】
前記撮像素子の撮影条件は、画像データ形成時の画像サイズであることを特徴とする請求項６〜８の何れか１項に記載の画像データ補正装置。
【請求項１０】
前記撮像素子の駆動条件は、静止画撮影モードと、動画撮影モードとを有し、
前記撮像素子の撮影条件は、前記撮像素子の駆動条件が静止画撮影モードであるか動画撮影モードであるかであることを特徴とする請求項６〜９の何れか１項に記載の画像データ補正装置。
【請求項１１】
前記撮像素子の撮影環境は、前記撮像素子の環境温度であることを特徴とする請求項６〜１０の何れか１項に記載の画像データ補正装置。
【請求項１２】
開口画素領域及び遮光画素領域を有する撮像素子から画素データを読み出す読み出し工程と、
前記読み出し工程において前記撮像素子の遮光画素領域から読み出される画素データから、前記画素データの各列に対応した一次元ダークシェーディング補正データを算出する算出工程と、
前記読み出し工程において前記撮像素子の開口画素領域から画素データを読み出している時に、前記算出工程において算出される一次元ダークシェーディング補正データを用いて前記撮像素子の一次元ダークシェーディングを補正する補正工程とを有し、
前記読み出し工程においては、前記開口画素領域から画素データを読み出す前に前記遮光画素領域から画素データを読み出し、
前記算出工程においては、前記読み出し工程において前記遮光画素領域から画素データを読み出す時に前記一次元ダークシェーディング補正データを算出し、
前記補正工程においては、前記算出工程において算出される一次元ダークシェーディング補正データを用いて前記撮像素子の一次元ダークシェーディングを補正することを特徴とする画像データ補正方法。
【請求項１３】
前記算出工程においては、前記一次元ダークシェーディング補正データを少なくとも１列からなる複数ブロックに分割して前記ブロック毎に一次元ダークシェーディング補正データを算出し、
前記補正工程においては、前記画素データの各列に、前記算出工程において算出されるブロックと対応するブロック毎の一次元ダークシェーディング補正データを用いて補正を行うことを特徴とする請求項１２に記載の画像データ補正方法。
【請求項１４】
前記算出工程においては、前記一次元ダークシェーディング補正データを少なくとも１列からなる複数ブロックに分割し、各列に対応した一次元ダークシェーディング補正データを、前記各ブロックごとの平均値を用いて近似的に算出し、
前記補正工程においては、前記画素データの各列に、前記算出工程において算出されるブロックと対応する近似の一次元ダークシェーディング補正データを用いて補正を行うことを特徴とする請求項１２に記載の画像データ補正方法。
【請求項１５】
前記算出工程において算出される一次元ダークシェーディング補正データを、少なくとも１列からなる複数ブロックに分割する設定を行う分割設定工程を有し、
前記算出工程においては、前記分割設定工程における設定に応じて、前記一次元ダークシェーディング補正データを少なくとも１列からなる複数ブロックに分割することを特徴とする請求項１４に記載の画像データ補正方法。
【請求項１６】
前記分割設定工程において設定される複数の設定から一つの設定を選択する選択工程を有し、
前記算出工程においては、前記選択工程において選択された設定に応じて、前記一次元ダークシェーディング補正データを少なくとも１列からなる複数ブロックに分割することを特徴とする請求項１５に記載の画像データ補正方法。
【請求項１７】
前記選択工程においては、前記撮像素子の撮影条件、または撮影環境に応じて一つの設定を選択することを特徴とする請求項１６に記載の画像データ補正方法。
【請求項１８】
前記撮像素子の撮影条件は、撮像素子及び画像データ形成時のゲイン設定であることを特徴とする請求項１７に記載の画像データ補正方法。
【請求項１９】
前記撮像素子の撮影条件は、露光時間設定であることを特徴とする請求項１７または１８に記載の画像データ補正方法。
【請求項２０】
前記撮像素子の撮影条件は、画像データ形成時の画像サイズであることを特徴とする請求項１７〜１９の何れか１項に記載の画像データ補正方法。
【請求項２１】
前記撮像素子の駆動条件は、静止画撮影モードと、動画撮影モードとを有し、
前記撮像素子の撮影条件は、前記撮像素子の駆動条件が静止画撮影モードであるか動画撮影モードであるかであることを特徴とする請求項１７〜２０の何れか１項に記載の画像データ補正方法。
【請求項２２】
前記撮像素子の撮影環境は、前記撮像素子の環境温度であることを特徴とする請求項１７〜２１の何れか１項に記載の画像データ補正方法。